(57)【要約】      （修正有）【課題】袋内の少量の塗布物を塗布する際に、手指に塗布物が付きにくく衛生的でかつ手指の汚れを防止可能な塗布具を提供する。【解決手段】袋部１０と塗布部１２とを有する塗布具において、塗布部は、後部が把持可能な剛性を有し、前部が対象部に当接されて塗布物を塗布するものであり、袋部は、仕切り構造１４によって仕切られた２つの収容室１６ａ，１６ｂ以上の内部空間を有し、少なくとも１つの収容室内に塗布物を収容し、仕切り構造を挟んだ２つの収容室に亘って前記塗布部が収容されている。【選択図】図１
2016199281.tif 000002
【特許請求の範囲】
【請求項１】
袋部と塗布部とを有する塗布具において、
塗布部は、後部が把持可能な剛性を有し、前部が対象部に当接されて塗布物を塗布するものであり、
袋部は、仕切り構造によって仕切られた２つの収容室以上の内部空間を有し、
少なくとも１つの収容室内に塗布物を収容し、仕切り構造を挟んだ２つの収容室に亘って前記塗布部が収容されていることを特徴とする塗布具。
【請求項２】
塗布部の一端には、収容空間内の塗布物と直接的接触をしない箇所が有ることを特徴とする請求項１に記載の塗布具。
【請求項３】
袋部は、重ねた膜状体の周囲と仕切り構造が貼り合せ又は溶着されて各収容室が形成されたことを特徴とする請求項１又は２に記載の塗布具。
【請求項４】
袋部は、外周の一部に切断部が形成されていることを特徴とする請求項３に記載の塗布具。
【請求項５】
塗布部は、略棒状体であり、
仕切り構造は、前記塗布部が抜け出さないように支持する構造であることを特徴とする請求項１から４のうちの１項に記載の塗布具。
【請求項６】
袋部は、塗布物を収容した２つの収容室の間が開封可能な仕切り構造で仕切られており、当該仕切り構造が開封されたときに２つの収容室内の各塗布物が混合され、塗布部をその混合した塗布物に含浸可能になっていることを特徴とする請求項１から５のうちの１項に記載の塗布具。
【発明の詳細な説明】
【技術分野】
【０００１】
本発明は、液体、紛体、粒体等の塗布物を収容した容器を開封して塗布可能にする塗布具に関する。
【背景技術】
【０００２】
従来、化粧料を容器内からコットン等の綿布に取り出して使用するのが通常であるが、予め少量の化粧料が袋に詰められていて、開封して使用するタイプの化粧料製品が有る。
【０００３】
この種の、少量使用タイプの化粧料製品には、特許文献１に記載のように、不織布等の含浸体に化粧料を含浸させてこの含浸体を気密性・水密性の有る密封袋に詰め込んだ袋詰め化粧料が開示されている。
【０００４】
しかしながら、前記特許文献１記載の袋詰め化粧料は、使用時には手指に化粧料が付着して汚れる虞が有る。
【０００５】
つまり、前記特許文献１では、「使用時には、密封袋を展開して含浸体が表になるように広げ、展開状の密封袋の裏面に指を巻き付けて、指や手に含浸体の化粧料が付着しないように注意すること。」との記載が有るように、密封袋を開く際ばかりでなく、展開状の密封袋を扱う際に、当該袋は薄膜シートであるので曲がり易く、含浸体も曲がり易い。
【０００６】
したがって、当該特許文献１開示の袋詰め化粧料では、しっかりとした扱いが困難なので、化粧料が手指に付着して汚れ易く、衛生上にも問題が生じる。
【０００７】
なお、液体を袋詰めしたものに関して、開け易さを意図して特許文献２が開示されている。この特許文献２では、２液式のフレキシブル包装において、仕切り部に摘み片を設け、当該摘み片の引っ張りによって容易に仕切りを開けるようにしている。
【先行技術文献】
【特許文献】
【０００８】
【特許文献１】特開平９−１００３３号公報
【特許文献２】特開平４−５７７６６号公報
【発明の概要】
【発明が解決しようとする課題】
【０００９】
仮に、前述の特許文献２の摘み片を特許文献１に採用して容易な開封をしても、開封後に含浸体を表にして展開状の密封袋で掴む扱う際には、特許文献１の含浸体が柔らかいので扱いにくいことや、手指に含浸体が触れ易いことが有り、そのため、衛生上の問題や塗布物による手指の汚れの問題を適切に防止できないものであった。
【００１０】
本発明は、斯かる実情に鑑み、袋内の少量の塗布物を塗布する際に、手指に塗布物が付きにくく衛生的でかつ手指の汚れを防止可能な塗布具を提供しようとするものである。
【課題を解決するための手段】
【００１１】
本発明は、袋部と塗布部とを有する塗布具において、
塗布部は、後部が把持可能な剛性を有し、前部が対象部に当接されて塗布物を塗布するものであり、
袋部は、仕切り構造によって仕切られた２つの収容室以上の内部空間を有し、
少なくとも１つの収容室内に塗布物を収容し、仕切り構造を挟んだ２つの収容室に亘って前記塗布部が収容されていることを特徴とする塗布具である。
【００１２】
本発明において、塗布部の一端には、収容空間内の塗布物と直接的接触をしない箇所が有ることが好適である。
【００１３】
本発明において、袋部は、重ねた膜状体の周囲と仕切り構造が貼り合せ又は溶着されて各収容室が形成されたことが好適である。
【００１４】
本発明において、袋部は、外周の一部に切断部が形成されていることが好適である。
【００１５】
本発明において、塗布部は、略棒状体であり、仕切り構造は、前記塗布部が抜け出さないように支持する構造であることが好適である。
【００１６】
本発明において、袋部は、塗布物を収容した２つの収容室の間が開封可能な仕切り構造で仕切られており、当該仕切り構造が開封されたときに２つの収容室内の各塗布物が混合され、塗布部をその混合した塗布物に含浸可能になっていることが好適である。
【００１７】
本発明において、仕切り構造は摘まみ部のある開封部によって開封を容易な構造とすることが好適である。また、切断部の外側部にいずれかの収容室の開封状態を保持する開封保持具が形成されたことが好適である。
【発明の効果】
【００１８】
本発明の塗布具によれば、袋部は、仕切り構造によって仕切られた２つの収容室以上の内部空間を有し、少なくとも１つの収容室内に塗布物を収容し、仕切り構造を挟んだ２つの収容室に亘って塗布部が収容されていることから、塗布部及び塗布物が使用以前は収容室内に収容されて、使用時には塗布部を露出させ、かつ、必要量の塗布物を塗布部に浸透又は付着させ、その塗布部によって塗布物を塗布できるようになる。塗布部の後部が把持可能な剛性を有するので掴み易く、後部を把持して前部を対象部に当接して容易に手指が汚れること無く衛生的に塗布物を塗布できるものである。
【００１９】
又、袋部の収容室内に少量の塗布物を収容でき、塗布体を収容するので、塗布する直前まで、塗布液や収容室内から塗布部を露出させることが無いので、適量の塗布物を塗布するのに便利である。又、袋部の収容室壁を介するなどして塗布部の後部を手指で持つことによって、手指で直接塗布部を持つ必要が無くさらに汚れにくい等の優れた効果を奏し得る。
【００２０】
さらに、袋部の収容室内は少量の塗布液であり密閉されていることから、開封するまで無菌状態を保ち続けられるため衛生的で有り、塗布液に防腐剤を従来より少量に又は添加を必要とせずに、肌等の塗布対象への影響を抑制することができる。
【図面の簡単な説明】
【００２１】
【図１】本発明の第１実施形態に係る塗布具の正面視の説明図である。
【図２】図１の塗布具の袋部を切り離した状態の説明図である。
【図３】第１実施形態の変形例１に係る塗布具の説明図である。
【図４】第１実施形態の変形例２に係る塗布具の説明図である。
【図５】本発明の第２実施形態の実施例１に係る塗布具の説明図で、（ａ）が開封前の平面視図、（ｂ）が開封して塗布部を露出させた状態図、（ｃ）が開封部によって仕切り構造を開く前の状態図、（ｄ）が仕切り構造を取り外した状態図である。
【図６】第２実施形態の実施例２に係る塗布具で、（ａ）が開封前の斜視図、（ｂ）が仕切り構造を取り外した状態図、（ｃ）が開封部によって仕切り構造を開く前の状態図、（ｄ）が開封して塗布部を露出させた状態図である。
【図７】本発明の第３実施形態に係る塗布具の説明図であり、その態様の第１実施例、第２実施例を説明するものである。
【発明を実施するための形態】
【００２２】
以下、本発明の実施形態について添付図面を参照して説明する。
【００２３】
第１実施形態に係る塗布具について説明する。
図１は、第１実施形態に係る塗布具の正面視の説明図、図２は切り離した状態の説明図である。
【００２４】
実施形態に係る塗布具は、化粧料を塗布物とする化粧品製品、紙面や機器へのマーカ等種々に使用できるものである。
【００２５】
図１示すように、第１実施形態に係る塗布具は、袋部１０と塗布部１２とを有する塗布具において、塗布部１２は、その後部１２ｂが把持可能な剛性を有し、前部１２ａが対象部（肌や髪の毛）に当接されて塗布物を塗布するものである。袋部１０は、仕切り構造１４によって仕切られた２つの収容室１６ａ、１６ｂ（２つの収容室以上の例）の内部空間を有する。
【００２６】
１つの収容室（１６ｂ）（少なくとも１つの収容室の例）内に塗布物を収容し、仕切り構造１４を挟んだ２つの収容室１６ａ、１６ｂに亘って前記塗布部１２が収容されている塗布具である。
【００２７】
前記塗布具では、塗布部１２の一端（前部１２ａ）は、収容室１６ａにはいっており、塗布物の収容空間の収容室１６ｂと直接的接触をしない箇所がなる。
【００２８】
つまり、一の収容室１６ｂの収容空間内に塗布物が収容され、その一の収容室１６ｂから他の収容室１６ａに亘って塗布部１２が貫通して配設されている。もちろん、２つの収容室１６ａ、１６ｂの片方又は双方に空間内に塗布物を収容し、これらの２つの収容室１６ａ、１６ｂ以外に１つの収容室以上の他の収容室を設けてそれに塗布部１２を収容してもよい。又、他の収容室にコーム（櫛）やパッチ等の用具を入れてもよい。
【００２９】
又、前記袋部１０は、重ねた膜状体の周囲と仕切り構造１４が帯状の領域で、貼り合せ又は溶着されて各収容室１６ａ、１６ｂが形成されたものである。この樹脂製の膜状体は、塗布物の漏洩と揮発が防止できる材質であればいずれでもよく、例えば多層ラミネートフィルム、単層フィルム等にでき、各層の材質がポリエチレンフィルム、ポリプロピレンフィルム、ポリエチレンテレフタレートフィルムを用いることができる。好ましくは、基層にポリプロピレンとポリエチレンテレフタレートとの混合したフィルムを用い、塗布液側の溶着層と外面の印刷層にポリプロピレンフィルムを用い、基層と溶着層、基層と印刷層との間に介する蒸着層には、ポリプロピレンとポリエチレンテレフタレートとの混合したフィルムを用いる五層構造の膜状体を用いる。
【００３０】
袋部１０は、外周の一部に切断部（切り離し部）１８が形成されている。実施形態では、切断部１８は一端に切り欠き（ノッチ）等の逆三角形状である切り離し用口元１８１を形成しているが、その他、切断部１８として、切り欠きに代えてミシン線を形成し、又、一部又は全部を破り易く薄く形成してもよい。また、切り離し用口元１８１はスリットとしてもよい。
【００３１】
又、塗布部１２は、ブラシ、筆、ペン芯、スポンジチップ、ヘラとすることができる。実施形態の塗布部１２は、柱状の略棒状体の、ペン芯等であり、液を通す材料であれば、成形芯、繊維束を用いることができる。
【００３２】
仕切り構造１４は、前記塗布部１２の周囲まで接着又は溶着でしっかりと形成されていて、一収容室１６ａと他の収容室１６ｂ同士で塗布物が移動しないようにしている。塗布物は一収容室１６ａ又は他の収容室１６ｂに収容できる。また、塗布部１２に中央部の周面に切り欠き１２ｃが形成されていて、仕切り構造１４が当該切り欠き（凹部）１２ｃに係止して抜けないようになっている。
【００３３】
又、図１に示すように、塗布具では、貼り合せ又は溶着された仕切り構造１４が塗布部１２の近くまで（切り欠き１２ｃに隣接する近くまで）形成されており、仕切り構造１４の貼り合せ又は溶着された箇所が切り欠き１２ｃに係止して、袋部１０から塗布部１２が抜け出さないように支持する構造となっている。
【００３４】
塗布物は、化粧料（液体、紛体、クリーム等）を用いることができる。仕切り構造１４を挟んで一収容室１６ａ又は１６ｂに収容できる。
【００３５】
第１実施形態の塗布具によれば、仕切り構造１４から少し離れた切断部１８から一収容室１６ａを切り離して、塗布部１２を露出させる。塗布部１２は切り離す側の一収容室１６ａから他の収容室１６ｂに亘って配設されている。
【００３６】
そして、図２に示すように、切断部１８から切り離す（口元１８１が有るため容易に切り離せる）。切り離した収容室１６ａに塗布物を収容している場合には、当該収容室１６ａの収容空間内の塗布物を塗布部１２に付けて対象部（化粧料塗布物ならば肌等）に塗布可能になる。
【００３７】
一方、塗布部を支持している収容室１６ｂ側に塗布物を収容している場合には、塗布部１２自体に含浸する塗布物を塗布可能になる。仕切り構造１４によって塗布部１２がしっかり支持されるため、当該収容室１６ｂを形成する膜状体又はフィルムを持ち手として手指でしっかりと持って、塗布に供することができる。
【００３８】
図３は、第１実施形態に係る塗布部の変形例１を示す。
【００３９】
変形例１に係る塗布具では、一収容室１６ａと他の収容室１６ｂとの密封性向上を図るために、図３に示すように、仕切り構造１４について塗布部１２の外周（切り欠き１２ｃに密着させるのが適切である）ヒートシールして収容空間全体のシール（密閉）を強化したものである。
【００４０】
この変形例１に係る塗布具では、他の収容室１６ｂに収容空間内に液状の塗布物を収容している場合に、仕切り構造１４が塗布部１２の外周に密着するので、塗布使用時に塗布物が漏れることが無く使い勝手がよい。
【００４１】
図４は、第１実施形態に係る塗布具の変形例２を示す。
【００４２】
変形例２に係る塗布具では、一収容室１６ａと他の収容室１６ｂとの間の切断部１８の近傍に、仕切り構造１４よりも一収容室１６ａ側の側部に位置して開封する開封保持具２０が配置されたものである。開封保持具２０は、紙材や樹脂材等を切断部１８ｂに沿わせて膜状体と一体、又は膜状体と接着又は溶着によって装着している。また、開封保持具２０には、袋部１０の幅方向端縁よりも幅方向に突出する部分（摘み代）２０ａを形成して、摘み易い構造である。
【００４３】
この開封保持具２０によって一収容室１６ａを切り離す際のガイドとして作用するため切り離し易く、第１実施形態や変形例１よりも開け易いかつ切断方向が斜めにならないように開け間違えにくい構造となっている。又、一収容室１６ａに塗布物を収容している場合に、収容室１６ａを持ち易く、開口部が開いた状態で保持できるので、塗布部１２に塗布物を付け易くすることができる。
【００４４】
図５は第２実施形態に係る実施例１の塗布具の説明図である。
【００４５】
この第２実施形態に係る実施例１の塗布具は、図５の（ａ）に示すように、第１実施形態と異なり、収容空間の有る収容室が符号１６ａ、１６ｂ、１６ｃの３箇所形成され、２箇所の仕切り構造１４ａ、１４ｂが形成されたものである。
【００４６】
仕切り構造１４ａを挟んで収容室１６ａと収容室１６ｂとに亘って塗布部１２が当該仕切り構造１４ａが固定されている。
また、仕切り構造１４ｂで隔てられた収容室１６ｂと収容室１６ｃとには、別種の液が収容されている。この仕切り構造１４ｂには、外側に摘まみ部のある開封部２１が付けられている。
【００４７】
塗布部１２は略棒状であって、前端の収容室１６ａから収容室１６ｂに亘って、仕切り構造１４ａを貫いて配置されている。仕切り構造１４ａは前記図３に示した第１実施形態の変形例１と同じく、一収容室１６ａと他の収容室１６ｂとの密封性向上を図るために、仕切り構造１４ａについて塗布部１２の外周（切り欠き１２ｃに密着させるのが適切である）にもヒートシールして収容空間全体のシール（密閉）を強化したものである。
【００４８】
第２実施形態に係る塗布具では、当初図５の（ａ）に示すように、一の収容室１６ａと他の収容室１６ｂを持って、切断部１８に沿って口元１８１から捻り破いて一の収容室１６ａを他の収容室１６ｂから切り取る。
【００４９】
図５の（ｂ）に示すように、一の収容室１６ａを他の収容室１６ｂから切り取った状態では塗布部１２の前部１２ａが露出する。
【００５０】
そして、図５の（ｃ）に示すように、摘まみ部のある開封部２１が外方向に突出した状態で、仕切り構造１４ｂの外側に摘まみ部のある開封部２１（当初は袋部１０の外壁に貼り付けた状態になっている）を掴んで仕切り構造１４ｂを開封し、図５（ｄ）に示すように収容室１６ｂと１６ｃに充填されている塗布液を混合させることができる。
【００５１】
図６は、第２実施形態に係る塗布具の実施例２を示す。
【００５２】
第２実施形態に係る実施例２を示す塗布具では、図６の（ａ）は実施例１と同様であるが、図６の（ｂ）に示すように、摘まみ部のある開封部２１が外方向に突出した状態から、開封部２１（当初は袋部１０の外壁に貼り付けた状態になっている）を掴んで仕切り構造１４ｂを開封し、その後、収容室１６ｂと１６ｃに充填されている塗布液を混合させる。
【００５３】
その後、図６の（ｃ）に示すように、一の収容室１６ａと他の収容室１６ｂを持って、切断部１８に沿って口元１８１から捻り破いて一の収容室１６ａを他の収容室１６ｂから切り取る。
【００５４】
図６の（ｄ）に示すように、一の収容室１６ａを他の収容室１６ｂから切り取った状態では塗布部１２の前部１２ａが露出する。
【００５５】
第２実施形態に係る塗布具は、仕切り構造１４ｂで隔てられた収容室１６ｂにＡ液と収容室１６ｃにＢ液を入れて、仕切り構造１４ｂを開封するタイプの２液を混合するタイプの塗布具、例えば毛染液等で有効に使用できる。
【００５６】
図７は、第３実施形態に係る塗布具である。
【００５７】
図７に示すように、第３実施形態に係る塗布具では、前記第２実施形態に係る塗布具（図５参照）と類似した構成で、収容空間の有る収容室１６ａ、１６ｂ、１６ｃの３箇所が形成され、仕切り構造１４ａ、１４ｂが２箇所、形成されたものである。第２実施形態時と異なる点は、塗布体１２が仕切り構造１４ｂを貫通して収容室１６ｂ、１６ｃに亘って配置されている。
【００５８】
第３実施形態では、種々に変形実施可能である。例えば塗布部や切断部の設定によって種々に変形実施できる。変形した各種の態様（第１実施例〜第２実施例）について図７を参照して説明する。
【００５９】
まず第１実施例の塗布具について説明する。
【００６０】
第１実施例では、仕切り構造１４ｂで塗布部１２を支持しており、その後方に、切断部を図中符号１８１で示す箇所に形成したものである。
【００６１】
前方の収容室１６ａ内に化粧料等の塗布物が収容されている。塗布部１２を塗布具から取り外さないタイプである。
【００６２】
第１実施例を使用するときには、前方の仕切り構造１４ａを開封し、切断部１８ｂから収容室１６ｂを切り離す。前方の収容室１６ａ内の化粧料を塗布部１２に浸み込ませてすぐに塗布に使用できる。
【００６３】
第１実施例に係る塗布具を変形する場合、上記第１実施例と同様の前方の仕切り構造１４ａを開封し、収容室１６ａ内の粉末等の化粧料を収容室１６ｂに化粧料を供給して切断部１８ｂから収容室１６ｂを切り離した構成として使用するものである。
【００６４】
次に、第２実施例に係る塗布具を説明する。
この第２実施例では、切断部１８ｂを中央の収容室１６ｂに形成する。そして、塗布部１２は、仕切り構造１４ｂによって前記した図３のように融着（ヒートシール）又は接着（ホットメルト等）して固定し、そして、切断部１８ｂから収容室１６ａを切り離す。塗布部１２の固定された収容室１６ｃを持ち手の一部とする。
【００６５】
この場合、収容室１６ｃ内に塗布物を収容して塗布部１２に送り込んでも、前方の収容室１６ａ内収容の塗布物を塗布部１２に付けて塗布に使用してもよい
【００６６】
なお、塗布部１２には、その外周に切り欠き１２ｂを構成して仕切り構造１４ｂから抜け出さないようにできる。
【００６７】
又、切断部１８ｃから切り離した前方の収容室１６ａ内に塗布物を収容して、その塗布物に塗布部１２に付着させて使用できる。この場合、前方の収容室１６ａの切断部１８ｃに前記した開封具（図４参照）を付けて、開口状態を保持することができる。もちろん開封具で開封もし易くなる。
又、収容室１６ａ内は塗布物に限らず、例えば綿棒やスポンジ等、塗布部１２を補助する第２の塗布具を入れてもよい。
又、切断部１８ａ、切断部１８ｂ、切断部１８ｃは各々異なる形状や数とすることで使用用途や切断順序の識別等を容易にすることができる。
なお、仕切り構造１４の密封性向上のために、図３に示した仕切り構造１４と同様に塗布部１２の外周付近までヒートシールして収容空間全体のシール（密閉）を強化したものにできる。
【００６８】
以上説明したように、本発明の塗布具によれば、袋部１０は、仕切り構造１４によって仕切られた２つの収容室以上（１６ａ、１６ｂ…）の内部空間を有し、少なくとも１つの収容室内に塗布物を収容し、仕切り構造を挟んだ２つの収容室に亘って塗布部１２が収容されていることから、塗布部１２及び塗布物が使用以前は収容室内に収容されて、使用時には塗布部１２を露出させ、かつ、必要量の塗布物を塗布部１２に浸透又は付着させ、その塗布部１２によって塗布物を容易に塗布できる。
【００６９】
又、塗布部１２の後部が把持可能な剛性を有するので掴み易く、後部を把持して前部を対象部に当接して容易に手指が汚れること無く衛生的に塗布物を塗布できるものである。
【００７０】
又、袋部１０の収容室内に少量の塗布物を収容でき、塗布部１２を収容するので、塗布する直前まで、塗布液や収容室内から塗布部を露出させることが無いことから、適量の塗布物を塗布するのに便利である。又、袋部１０の収容室壁を介するなどして塗布部１２の後部を手指で持つことによって、手指で直接塗布部１２を持つ必要が無くさらに汚れにくい等の優れた効果を奏し得る。
【００７１】
本発明は前記第１〜第３実施形態やその変形例に限定されるものではなく、本発明の範囲内で種々に変形実施可能である。
【産業上の利用可能性】
【００７２】
本発明の塗布具は、液体、紛体、クリーム等の化粧料、毛髪料、薬品、接着剤、インキ等の塗布物をブラシ、筆、ペン芯、スポンジチップ、ヘラ等の塗布部で塗布するものに利用することができる。
【符号の説明】
【００７３】
１０  袋部
１２  塗布部
１４  仕切り構造
１６ａ、１６ｂ  収容室
１８  切断部
１８ａ、１８ｂ、１８ｃ  切断部
２０  開封保持具
２１  開封部
【図１】
2016199281.tif 000003
【図２】
2016199281.tif 000004
【図３】
2016199281.tif 000005
【図４】
2016199281.tif 000006
【図５】
2016199281.tif 000007
【図６】
2016199281.tif 000008
【図７】
2016199281.tif 000009